(57)【要約】 【課題】  内枠に対する内枠ボードの取り付けが簡便で、且つ内枠係止部品の毀損並びに内枠係止部品に起因する作業者の負傷の虞れを解消し得ると共に、内枠の自重が外枠のフランジで強力に支承され得る天井点検口を提供する。【解決手段】  外枠２に対し内枠１を回動可能に軸承配備し、適所に内枠係止手段３を配備する点検口であって、内枠係止手段３は内枠の垂直壁部１２の外面に平行状に取り付ける操作軸３２と、操作軸３２の上端に連続する板状係止片３２ｄと、操作軸に連繋し垂直壁部１２に平行状に往復動する進退板３３と、進退板に連繋し進退板の左右への移動に応じて振り子運動する傾動板３４と、進退板３３に一端を止着する一方の進退バー３５と、一端を傾動板３４に止着する他方の進退バー３６とから成り、両進退バー３５，３６の他端は外枠２の水平フランジ２１の内側上面に対し先端が係脱する係止押え板３７に止着したことを特徴とする。【選択図】          図１
2006291456.tif 000002
【特許請求の範囲】
【請求項１】
外枠に対し内枠を回動可能に軸承配備し、適所に内枠係止手段を配備する点検口において、
係止手段は、内枠の垂直壁部の外面に平行状に取り付ける操作軸と、操作軸の上端に連続する板状係止片と、操作軸に連繋し垂直壁部に平行状に往復動する進退板と、進退板に連繋し進退板の左右への移動に応じて振り子動する傾動板と、進退板に一端を止着する一方の進退バーと、一端を傾動板に止着する他方の進退バーとから成り、両進退バーの他端は外枠の水平フランジの内側上面に対し先端が係脱する係止押え板に止着したことを特徴とする請求項１記載の天井点検口。
【請求項２】
上記係止押え板は、先端が外枠の水平フランジの上面に対し垂直方向への押圧力を作用させるように、進退バー止着位置に比し先端部が低位置となるように設定したことを特徴とする請求項１記載の天井点検口。
【発明の詳細な説明】
【技術分野】
【０００１】
この発明は、内枠の係止構造に特徴を有する天井点検口に関する。
【背景技術】
【０００２】
図７は、従来の天井点検口を示す斜視図である。
この天井点検口は、外枠２と外枠２に対し回動可能に軸承２ｃされる内枠１と、内枠 1に取り付けられる内枠１の係止手段５とから成る。
【０００３】
外枠２は、水平フランジ２１と、水平フランジ２１から立ち上がる垂直壁部２２と、垂直壁部２２の上端部を内向きに折り曲げた折曲部２３と、この折曲部２３に対向位置し水平フランジ２１から起立する立上り部２４とから成る。
【０００４】
上記内枠１は、水平フランジ１１と、水平フランジから立ち上がる垂直壁部１２と、垂直壁部１２の上端部を外向きに折り曲げた折曲部１３と、この折曲部１３に対向し水平フランジ１１から起立する立上り部１４とからなる。
【０００５】
前記係止手段５は、内枠１の正面側垂直壁部１２の内面側に、内向きに突設された取付け基板５２と、この取付け基板５２に対し重合状に軸承された回動板５３と、この回動板５３に基端が止着され先端が内枠１のサイド側に取り付けられたバー支持部５Ａに嵌挿する進退バー５５，５６と、垂直壁部１２の外面側に回動可能に配備された操作軸５１と、操作軸５１の上端に連続し下部軸５４ｂが回動板５３に連繋する係止用駆動板５４とから成る。
【０００６】
この点検口では、外枠２に対し内枠１が開放状態のときは、図７で示すように、左右両側の進退バー５５，５６の先端はバー支持部５Ａより僅かに臨出した状態にある。
【０００７】
外枠２に対し内枠１を閉成状態とするときは、内枠１を外枠２に嵌合させ、水平フランジ１１の外側縁と水平フランジ２１の内側縁とが接合状態とする。この状態を保持して操作軸５１を時計回りと逆回りさせると、連続する駆動板５４が駆動板５４が９０度回動して外枠２の対応する折曲部２３上面に接面して係止する。
【０００８】
同時に、駆動板５４に連繋する回動板５３が時計回りに回動し、両進退バー５５，５６の先端がバー支持部５Ａより外方へそれぞれ突出し、外枠２の内側（折曲部２３と立上り部２４との溝）に配備された係止受け板２ａの受け穴２ｂに嵌挿し係止する。これにより、内枠１が外枠２に係止され閉成状態が保持される。  
【特許文献１】特公平６−９６９１１号公報
【発明の開示】
【発明が解決しようとする課題】
【０００９】
従来の天井点検口では、内枠の係止手段（基板、回転板、進退バー、バー支持部）が、内枠の内部空間に配備されている。ところが、この内枠の内部空間には、天井ボード、すなわち天井下地材と天井仕上材とからなる重合材（内枠ボード）が現場において内装配備される。
【００１０】
この現場作業において、天井下地材と仕上材とにそれぞれ係止手段に対応する切り欠きを形成しなければならず、この切り欠き作業が極めて煩瑣でありコスト高の一因をなしている。
【００１１】
更に、部品点数の多い係止手段が、内枠内部空間に大きく張り出しているため施工しづらい許かりでなく、突出する係止部品が毀損し易く且つ、作業者が意に反して負傷するなどの不利があった。
【００１２】
また、左右両側の進退バーは、先端部が外枠の係止受け穴に単に嵌挿しているだけのため、内枠が大径サイズの場合は、内枠自体の自重が大なるため、外枠により支承が十分でなく内枠に歪が生じる等の欠点があった。
【００１３】
この発明は、以上のような課題を解消させ、係止部品が内枠内部空間に一切突出せず、内枠ボードの施工が極めて簡便で、且つ係止部品の毀損の虞れが解消されると共に、内枠係止構造の対荷重性能を向上した部品点数が少なく安価な天井点検口を提供することを目的とする。
【課題を解決するための手段】
【００１４】
この目的を達成させるために、この発明の天井点検口では、次のような構成としている。
【００１５】
天井点検口は、外枠に対し内枠を回動可能に軸承配備し、適所に内枠係止手段を配備する点検口であって、内枠係止手段は内枠の垂直壁部の外面に平行状に取り付ける操作軸と、操作軸の上端に連続する板状係止片と、操作軸に連繋し垂直壁部に平行状に往復動する進退板と、進退板に連繋し進退板の左右への移動に応じて振り子運動する傾動板と、上記進退板に一端を止着する一方の進退バーと、一端を傾動板に止着する他方の進退バーとからなり、両進退バーの他端は外枠の水平フランジの内側上面に対し先端が係脱する係止押え板に止着したことを特徴としている。
【発明の効果】
【００１６】
このような構成を有する天井点検口では、内枠の係止手段は、内枠の垂直壁部の外面に配備してある。したがって、内枠の内部空間には係止手段（係止部品）は一切張り出していない。このため、装着する内枠ボード（天井下地材、及び天井仕上げ材）は単に内枠の方形寸法に切断するだけでよく、且つ内部空間への装着作業は単に内部空間に嵌装するだけであるため極めて簡便に装着し得る。
【００１７】
更に、内枠の係止手段は、内枠閉成状態において、内枠の水平フランジの外側上面の範囲内に配置され、つまり垂直壁部の外側面に平行して接面状に取り付けられており、外枠の内側面（垂直壁部、折り曲げ部、立上り部の内面）で被覆状にコンパクトに装填配置された状態にあるから、係止部品の毀損の虞れがない許かりでなく内枠ボード取り付け時の作業者負傷の虞れも解消される。
【００１８】
更に、係止押え板の先端は、進出時において外枠の水平フランジの内側上面に対し直接、押圧する。したがって、従来のように進退バーが単に突っ張り係止するのではなく、内枠の自重を外枠の水平フランジに直接作用させることで、内枠の係止が一層安定するから、自重の大きい大径寸法の点検口であっても強力に支承し得る等、発明目的を達成した優れた効果を有する。
【発明を実施するための最良の形態】
【００１９】
以下、図面に基づき本発明に係る天井点検口ーの具体的な実施の形態を説明  する。
【００２０】
図１は、実施の形態の天井点検口を示す斜視図である。
天井点検口は、外枠２と、外枠２に嵌合し基端部側（後端部側）で回動自在に軸承（２ｃ）される内枠１と、内枠１の先端部側（前面部側）に配備された係止手段３とから成る。
【００２１】
外枠２は、方形の枠体で、水平フランジ２１と、水平フランジ２１の幅中央から立上る垂直壁部２２と、垂直壁部２２の上端部を内向きに折り曲げて垂直壁部２２との間にコーナー金具などの取付用溝空間を形成する折曲部２３と、この折曲部２３の下方（同一線上）で水平フランジ２１から立ち上る折曲部と対をなす溝形成用の立上り部２４とから成る。
【００２２】
内枠１は、方形の枠体で、水平フランジ１１と、水平フランジ１１の幅中央から立上る垂直壁部１２と、垂直壁部１２の上端部を外向きに折り曲げて垂直壁部１２との間にコーナー金具などの取付用溝空間を形成する折曲部１３と、この折曲部１３の下方（同一線上）で水平フランジ１１に設けられた折曲部１３と対を成す溝形成用の立上り部１４とから成る。
【００２３】
上記係止手段３は、内枠１前面部の垂直壁部１２の外面に、取付片３１ａで取付けられた扁平な駆動部収納ケース３１と、この駆動収納ケース３１から左右方向へ垂直壁部１２に並行状に突設される進退バー３５、３６と、各進退バーの先端に取り付けられた係止押え板３７、３７とから構成される。
図２は、駆動部収納ケース３１の内部を示す説明図である。
駆動部３１は、垂直壁部１２と平行する操作軸３２と、この操作軸部３２の上端に止着される係止片３２ｄと、操作軸３２のピニオンに係合するラック穴を持つ進退板３３と、この進退板３３に連繋し進退板の左右への移動に応じて振り子動する傾動板３４とから構成される。
【００２４】
操作軸３２は、化粧カバー３２ｆを介して下端部を、水平フランジ１１の外面に対し重合させ、上端の係止片３２ｄを折曲部１３上面の上方に位置させて配備している。この操作軸３２の回動により係止片３２ｄも回動し、係止片３２ｄには回止めのストッパ３２ｅを取り付けてある。
【００２５】
操作軸３２には、ピニオン（第１の爪３２ａ、第２の爪３２ｂ、第３の爪３２ｃ）が設けられ、後述する進退板（ラック板）３３を左右方向へ往復動させる。  進退板３３は、収納ケース３１の前壁の内面に摺動可能に平行配備され、面内には上記ピニオンに対応する孔（第１の孔３３ａ、第２の孔３３ｂ、第３の孔３３ｃ）が開設してある。また、進退板３３の一端側の下端には収納ケース３１の下方へ突出するパー取付部３３ｄを設けている。
【００２６】
上記傾動板３４は、矩形板で長さ中央部を収納ケース３１の前壁に対し回動可能に軸承３４ａし、上端部３４ｂを前記進退板３３の他端側の上端に係着している。これにより、進退板３３の往復動にしたがい傾動板は振り子状に左右へ振る。また、傾回動板３４の下端部には収納ケース３１の下方へ突出するバー取付部３４ｃとしている。
【００２７】
前記係止押え板３７は、内枠１の前面の左右両端部に配置される取付け体３Ａに取り付けられる。つまり、折曲部１３と立上り部１４との上下溝間に取付板が嵌着固定され、この取付板の上下溝部３Ｂに係止押え板３７が摺動可能に嵌合される。そして、係止押え板３７は前方へ下降傾斜する板状係止押え片３７ａと、係止押え板３７ａの後端に連続する垂直状取付部３７ｂとからなる。
【００２８】
上記進退バー３５は、基端３５ａを進退板３３のバー取付部３３ｄに止着し、先端３５ｂを係止押え板の取付部３７ｂに止着している。また、進退バー３６は、基端３６ａを回動板３４の取付部３４ｃに止着し、先端３６ｂを係止押え片３７ａの取付部３７ｂに止着してある。
【００２９】
このような構成を有する天井点検口では、図１で示すように外枠２に対し内枠１を回動させた状態（点検口の開放状態）においては、図２並びに図４で示すように、進退板３３の第１の孔３３ａに操作軸３１の第１の爪３２ａが嵌合した状態にあり、進退板３３の取付板３３ｄ（バー端３５ａ）と傾動板３４の取付部３４ｃ（バー端３６ａ）との間隔が最も接近した状態に位置している。
【００３０】
このとき、図５の実線で示すように、係止押え片３７ａの先端部３７ｃは、内枠１の水平フランジ１１の外側上面の面内に位置し外方へは突出しない。同様に、操作軸３１の上端の係止片３２ｄも進退バー３５（３６）と平行状に位置し（図１、図２参照）、外枠２方向へは突出しない。したがって、出っ張りによる部品毀損の虞れがない許かりでなく、外枠２に対し内枠１は自由回動する。
【００３１】
一方、点検口を閉成状態とする際は、図３で示すように、操作軸３１を時計回りと反対方向へ回動させると、進退板（ラック板）３３が右方向へ移動する。つまり、係止片３２ｄが９０度手前側へ回動するとき、進退板３３は第３の孔３３ｃに操作軸３１の第３の爪３２ｃが嵌合する状態にまで右方向へ移動する。
【００３２】
同時に、傾動板（回動板）３４は進退板３３の移動に応じ、枢軸３４ａを支点に時計回り方向へ振る結果、進退板３３の取付板３３ｄ（バー端３５ａ）と回動板（傾動板）３４の取付部３４ｃ（バー端３６ａ）との間隔が最も離間した状態に位置する。
【００３３】
このとき、図５の仮想線で示すように、前方へ突出状に進出する係止押え片３７ａの先端部３７ｃは、内枠１に対向する外枠２の水平フランジ２１の内側上面に押圧状に係止する。つまり、係止押し片３７ａが下方傾斜状であるため、先端部３７ｃが水平フランジ２１を下方（ほぼ垂直方向）へ押圧するから、大きい耐
荷重性能が得られる。
【００３４】
同時に、操作軸３１の上端の係止片３２ｄも手前側へ９０度回動する（図３参
照）結果、対向する外枠２の折曲部２３上面に乗り上げ状に係止する）。これに
より内枠１が外枠２に対し完全係止され、点検口の安定した閉成状態（係止状態
）が保持される。
【００３５】
図６は、係止押し板３８の他の実施の形態を示す拡大説明図である。この実施の形態では、係止押え片３８ａを板状の湾曲状に設定し、バー取付部３８ｂを押え片３８ａの基端上部に設けている。これにより、進退バー３５（３６）の先端３５ｂ（３６ｂ）によって押し上げぎみに押される係止押え片３８ａは、全体が湾曲しているため、先端３８ｃの下方向への押圧力が一層強くなる。これにより、大型で自重が大なる大径の点検口であっても十分な対荷重性能が得られる。
【図面の簡単な説明】
【００３６】
【図１】実施の形態の天井点検口を示す斜視図である。
【図２】係止手段を示す拡大説明図である。
【図３】係止手段の動作状態を示す拡大説明図である。
【図４】係止手段を示す拡大断面図である。
【図５】係止押え板を示す拡大図である。
【図６】係止押え板の他の実施の形態を示す拡大図である。
【図７】従来の天井点検口を示す斜視図である。
【符号の説明】
【００３７】
１      内枠
２      外枠
３      係止手段
１１    水平フランジ
１２    垂直壁部
１３    折曲部
１４    立上り部
３１    駆動部収納ケース
３２    操作軸
３３    進退板
３４    傾動板
３５    進退バー
３６    進退バー
３７    係止押え板
【図１】
2006291456.tif 000003
【図２】
2006291456.tif 000004
【図３】
2006291456.tif 000005
【図４】
2006291456.tif 000006
【図５】
2006291456.tif 000007
【図６】
2006291456.tif 000008
【図７】
2006291456.tif 000009